(57)【特許請求の範囲】
【請求項１】
円筒形の口金具をその中心軸周りに回転可能に支持する支持部材と、
前記口金具の外周面に刻印するための刻印駒が保持され、刻印駒を前記支持部材に支持された口金具に押圧させる駒保持部材と、
前記刻印駒が前記口金具に押圧された状態を維持しながら前記支持部材を前記中心軸と直交する方向に直線移動可能とするスライド手段と、
前記支持部材及び前記駒保持部材が組み付けられた台座部とを備え、
前記スライド手段が、前記台座部に取り付けられたレールと、前記レールに沿ってスライド可能で前記支持部材を支持する支持ブロックと、前記台座部に取り付けられた支軸と、前記支軸の周りに回転可能に取り付けられたリンクと、前記リンクと前記支持ブロックを連結する連結リンクとを有し、前記リンクを回転させて前記支持ブロックをスライドさせることにより前記台座部に対し前記支持部材を直線移動可能としている、口金具刻印機。
【請求項２】
前記台座部に取り付けられた昇降ポールを備え、前記駒保持部材は、前記昇降ポールに昇降可能に取り付けられている請求項１に記載の口金具刻印機。
【請求項３】
前記支持部材が、前進した前記駒保持部材の前記刻印駒との間で前記口金具を回転可能に挟持する複数のローラを有する請求項１または請求項２に記載の口金具刻印機。
【発明の詳細な説明】
【技術分野】
【０００１】
本発明は、円筒形の口金具の外周面に、製造ロット番号等を直接刻印する口金具刻印機に関する。
【背景技術】
【０００２】
従来、円筒形の口金具の外周面に、製造ロット番号等を直接刻印する口金具刻印機が知られている（例えば、特許文献１参照）。この口金具刻印機は、揺動自在な印字駒とこの印字駒に対向する２個のローラとの間に、円筒形の樹脂被覆鋼管を挟み、印字駒と２個のローラとの間隔を狭めて樹脂被覆鋼管を挟圧し、該樹脂被覆鋼管の被覆樹脂に印字駒の活字を食い込ませた状態のまま、樹脂被覆鋼管を中心としてその周りを前記印字駒と２個のローラとを一緒に回動させて刻印するようになっている。
【先行技術文献】
【特許文献】
【０００３】
【特許文献１】特開２０００−２６３４７６号公報
【発明の概要】
【発明が解決しようとする課題】
【０００４】
上述の如き口金具刻印機では、曲面刻印駒を使用し、この曲面刻印駒を回動させることにより、口金具に刻印文字を転写するようになっている。このため、曲面刻印駒の加工が困難であり、高価なものになっている。本発明は上記事実を考慮し、より安価に、口金具に刻印することが可能な口金具刻印機を得ることを目的とする。
【課題を解決するための手段】
【０００５】
請求項１に記載の発明では、円筒形の口金具をその中心軸周りに回転可能に支持する支持部材と、前記口金具の外周面に刻印するための刻印駒が保持され、刻印駒を前記支持部材に支持された口金具に押圧させる駒保持部材と、前記刻印駒が前記口金具に押圧された状態を維持しながら前記支持部材を前記中心軸と直交する方向に直線移動可能とするスライド手段と、前記支持部材及び前記駒保持部材が組み付けられた台座部とを備え、前記スライド手段が、前記台座部に取り付けられたレールと、前記レールに沿ってスライド可能で前記支持部材を支持する支持ブロックと、前記台座部に取り付けられた支軸と、前記支軸の周りに回転可能に取り付けられたリンクと、前記リンクと前記支持ブロックを連結する連結リンクとを有し、前記リンクを回転させて前記支持ブロックをスライドさせることにより前記台座部に対し前記支持部材を直線移動可能としている。
【０００６】
この口金具刻印機では、支持部材によって回転可能に支持された口金具に対し、駒保持部材の刻印駒が押圧される。ここで、支持部材は、スライド手段により、刻印駒が口金具に押圧された状態を維持しながら、口金具の中心軸と直交する方向に直線運動可能とされている。このように直線運動させることで、口金具が刻印駒に接触しつつ回転するので、刻印駒によって口金具の外周面に刻印がなされる。支持部材と駒保持部材は相対的に直線運動するので、刻印駒としては、刻印部分が平面状に形成された平面刻印駒を使用することができる。そして、平面刻印駒を使用することで、曲面刻印駒を用いた構成における曲面刻印駒への加工等が不要となるので、安価に口金具に刻印することができる。
【０００８】
また、請求項１に記載の口金具刻印機では、台座部及び駒保持部材に対し、支持部材が直線運動することになるので、駒保持部材を直線運動させる構成と比較して、構造の複雑化を回避できる。
請求項２に記載の発明では、請求項１に記載の発明において、前記台座部に取り付けられた昇降ポールを備え、前記駒保持部材は、前記昇降ポールに昇降可能に取り付けられている。
【０００９】
請求項３に記載の発明では、請求項１または請求項２に記載の発明において、前記支持部材が、前進した前記駒保持部材の前記刻印駒との間で前記口金具を回転可能に挟持する複数のローラを有する。
【００１０】
複数のローラの間で口金具を支持すると共に、刻印駒との間で回転可能に挟持できるので、安定して口金具を支持して刻印できる。
【発明の効果】
【００１１】
本発明は上記構成としたので、安価に、口金具に刻印することが可能となる。
【図面の簡単な説明】
【００１２】
【図１】本発明の一実施形態の口金具刻印機を示す斜視図である。
【図２】本発明の一実施形態の口金具刻印機を用いて口金具に刻印する工程を（Ａ）〜（Ｃ）へと順に示す説明図である。
【発明を実施するための形態】
【００１３】
図１には、本発明の第１実施形態の口金具刻印機１２が示されている。この口金具刻印機１２は、図２（Ａ）〜（Ｃ）に示すように、円筒状に形成された口金具１４の外周面に、製造ロット番号などの情報表示を直接刻印するために用いられるものである。
【００１４】
口金具刻印機１２は、平板状に形成された台座部１６を有しており、台座部１６の上面には、所定方向に延在されるレール１８が形成されている。レール１８には、支持ブロック２０が矢印Ｍ１方向及びその反対方向にスライド（直線運動）可能で、且つ不用意に抜けないように取り付けられている。
【００１５】
台座部１６の上面には、さらに、スライド操作機構２２が設けられている。スライド操作機構２２は、台座部１６の奥側の支軸２４により回転可能に取り付けられた主リンク２６と、この主リンク２６の中間部分と支持ブロック２０とを連結する連結リンク２８、さらに、主リンク２６の先端側のスライド操作レバー３０と、を有している。スライド操作レバー３０を矢印Ｒ１方向に回転させることで、支持ブロック２０を矢印Ｍ１方向にスライドさせることができる。
【００１６】
支持ブロック２０上には、２つの支持ローラ３２が平行で、かつそれぞれ回転可能に取り付けられている。支持ローラ３２のローラ中心Ａ１は、平面視したときに支持ブロック２０のスライド方向（矢印Ｍ１方向）と直交する方向とされている。また、支持ローラ３２の間に口金具１４を支持できるように、支持ローラ３２の間隔（ローラ中心Ａ１の間隔）が決められている。
【００１７】
したがって、２つの支持ローラ３２の上に口金具１４を支持した状態で、口金具１４の金具中心Ａ２は、ローラ中心Ａ１と平行となっており、支持ブロック２０の直線移動方向とは、平面視にて直交している。さらに、口金具１４を２つの支持ローラ３２で支持した状態で、その金具中心Ａ２周り（図２（Ｂ）に示す矢印Ｒ２方向及びその反対方向）に回転させることができる。このとき、２つの支持ローラ３２はいずれも、矢印Ｒ３方向に回転する。
【００１８】
台座部１６からは、レール１８よりも奥側において、垂直に昇降ポール３４が立設されており、昇降ポール３４には、昇降可能に保持ブロック３６が取り付けられている。保持ブロック３６には、昇降操作レバー３８が設けられており、この昇降操作レバー３８の操作により、保持ブロック３６を昇降させたり、所定の昇降位置でロックさせたりすることができるようになっている。
【００１９】
保持ブロック３６の下面の先端側には、刻印駒４０が固定されている。刻印駒４０は、本実施形態では刻印面が平面状の平面刻印駒とされ、その下面に、口金具１４に刻印すべき所定の情報が形成されている。保持ブロック３６は、本発明の「駒保持部材」の一例となっている。
【００２０】
保持ブロック３６の昇降範囲は、支持ローラ３２上に支持された口金具１４に対し刻印駒４０を前進（降下）させ、口金具１４を刻印駒４０で押圧可能な範囲とされている。さらには、このように口金具１４を刻印駒４０に押圧した状態で、保持ブロック３６が不用意に上昇しないように、昇降操作レバー３８でロック可能とされている。
【００２１】
次に、本実施形態の口金具刻印機１２の作用を説明する。
【００２２】
口金具１４に刻印する場合には、まず、図２（Ａ）に示すように、保持ブロック３６を上昇させておき、支持ローラ３２上に、刻印前の口金具１４を載せる。そして、刻印駒４０が降下したときに、刻印駒４０の刻印開始端部４０Ｓが口金具１４に接する位置となるように、保持ブロック３６を所定の位置までスライドさせる。あるいは、保持ブロック３６のスライドの始端を、あらかじめこの条件が満たされる位置に設定しておく構造でもよい。
【００２３】
そして、昇降操作レバー３８の操作により保持ブロック３６を降下させて刻印駒４０を口金具１４に向かって前進させる。図２（Ｂ（に示すように、刻印駒４０が口金具１４を押圧した状態で、口金具１４は、刻印駒４０と２つの支持ローラ３２とによって回転可能に挟持される。ここで、保持ブロック３６の昇降をロックする。
【００２４】
ついで、スライド操作レバー３０の操作により、図２（Ｃ）に示すように、支持ブロック２０を矢印Ｍ１方向にスライドさせる。口金具１４は、刻印駒４０との接触状態を維持しつつ（但し、刻印駒４０に対し滑ることはなく）矢印Ｒ２方向に回転し、口金具１４の外周面に所定の情報が刻印される。刻印後は、昇降操作レバー３８の操作により保持ブロックを上昇させ、刻印済みの口金具１４を取り出す。そして、スライド操作レバー３０の操作により支持ブロック２０を矢印Ｍ１と反対の方向に移動させて初期位置に戻すことで、次の口金具１４への刻印を行うことが可能となる。
【００２５】
以上の説明から分かるように、本実施形態では、本発明の支持部材である２つの支持ローラを直線運動可能としており、これによって、刻印駒４０として、刻印面が平面状の平面刻印駒を用いることができるようになっている。平面刻印駒は、曲面刻印駒等と比較して汎用性が高く、且つ安価に製造できるので、刻印駒４０への刻印も低コストで行うことが可能になる。
【００２６】
なお、上記では、本発明の支持部材として、２つの支持ローラ３２を有する構成を挙げたが、支持ローラ３２の数はこれに限定されず、たとえば、２つの支持ローラ３２の間で口金具１４をさらに下方から支持する支持ローラを有する構成でもよい。
【００２７】
本発明の支持部材としても支持ローラに限定されず、たとえば、平面状に形成された支持板の上を口金具１４が転がる構成でもよい。あるいは、口金具１４の内部に支軸を貫通させ、この支軸を回転可能に支持しつつ、矢印Ｍ１方向に移動させる構成でもよい。
【００２８】
また、上記では、台座部１６に対し、支持部材（支持ローラ３２）が直線運動する構成を挙げたが、たとえば、支持ブロック２０は台座部１６に固定しておき（支持ローラ３２も直線運動しない）、昇降ポール３４及び保持ブロック３６を直線運動させる構成でもよく、さらには、支持ローラ３２及び保持ブロック３６の双方を直線運動させる構成でもよい。本実施形態のように、台座部１６に対し、支持部材（支持ローラ３２）が直線運動する構成では、昇降ポール３４や保持ブロック３６を直線運動させる必要がないので、構造の複雑化を回避できる。
【符号の説明】
【００２９】
１２  口金具刻印機
１４  口金具
１６  台座部
１８  レール
２０  支持ブロック
２２  スライド操作機構
２４  支軸
２６  主リンク
２８  連結リンク
３０  スライド操作レバー
３２  支持ローラ
３４  昇降ポール
３６  保持ブロック
３８  昇降操作レバー
４０  刻印駒
４０Ｓ      刻印開始端部
Ａ１  ローラ中心
Ａ２  金具中心
【図１】
0005577078.tif 000002
【図２】
0005577078.tif 000003